(57)【要約】【課題】ナースセンター内に在室中の看護師が緊急呼出元の患者に即時に対応することにより、迅速な看護業務の遂行を図る。【解決手段】緊急呼出元の患者がナースコール子機１、１、・・・のスタッフコールボタン１１を設定時間以上、または設定回数操作すると、これらの緊急呼出操作を検出した制御機５の制御によりナースコール子機の子機マイク１２からナースコール親機３の親機スピーカ３４への通話路が形成され、形成された通話路を介して音声信号を伝送させることにより、ナースセンター内に在室中の看護師は、応答操作を行うことなく緊急呼出元の患者からの受話音声を確認できる。【選択図】  図１
2004282597.tif 000002
【特許請求の範囲】
【請求項１】
病室内の病床にそれぞれ設置されたナースコール子機（１、１、・・・）の呼出ボタン（１０）を操作して通常の呼び出し、スタッフコールボタン（１１）を操作して緊急の呼び出しをナースコール親機（３）へと報知・表示させ、前記ナースコール親機の通話部（３５）と前記ナースコール子機の子機マイク（１２）および子機スピーカ（１３）との間で通話を行うナースコール装置であって、
前記ナースコール子機の前記スタッフコールボタンを設定時間以上操作することにより、前記子機マイクを介して入力された音声を前記ナースコール親機の親機スピーカ（３４）から出力する制御を行うための制御機（５）を備えたことを特徴とするナースコール装置。
【請求項２】
病室内の病床にそれぞれ設置されたナースコール子機（１、１、・・・）の呼出ボタン（１０）を操作して通常の呼び出し、スタッフコールボタン（１１）を操作して緊急の呼び出しをナースコール親機（３）へと報知・表示させ、前記ナースコール親機の通話部（３５）と前記ナースコール子機の子機マイク（１２）および子機スピーカ（１３）との間で通話を行うナースコール装置であって、
前記ナースコール子機の前記スタッフコールボタンを設定回数操作することにより、前記子機マイクを介して入力された音声を前記ナースコール親機の親機スピーカ（３４）から出力する制御を行うための制御機（５）を備えたことを特徴とするナースコール装置。
【請求項３】
前記スタッフコールボタンを操作したとき、呼出音が出力される携帯端末（４）を備えたことを特徴とする請求項１または請求項２記載のナースコール装置。
【請求項４】
前記制御機は、前記ナースコール親機にて通話が開始されたとき、前記携帯端末からの呼出音の出力を停止させるための制御を行うものであることを特徴とする請求項３記載のナースコール装置。
【請求項５】
前記制御機は、前記携帯端末にて通話が開始されたとき、前記ナースコール親機の親機スピーカからの音声の出力を停止させるための制御を行うものであることを特徴とする請求項３記載のナースコール装置。
【発明の詳細な説明】
【０００１】
【発明の属する技術分野】
本発明はナースコール装置に係り、特に、病室内の患者からの緊急の呼び出しへに即時に対応することができ、迅速な看護業務の遂行が図れるナースコール装置に関する。
【０００２】
【従来の技術】
従来から、この種のナースコール装置として、病室内の（病床の）患者からの緊急呼出時には、ナースセンター内に設置されたナースコール親機へと緊急の呼び出しをかけるばかりでなく、自分の受け持ちか否かに拘わらず全ての携帯端末へと緊急の呼び出しをかけ、通常呼出時には、受け持ちの看護婦が携行する携帯端末へと通常の呼び出しをかけることにより、全ての看護師（看護婦）が即時に対応することができ、迅速な看護業務の遂行が図れるナースコール装置が開示されている（例えば、特許文献１）。
【０００３】
【特許文献１】特開２０００−２２４３２１号公報（段落番号００１５、００３７）
【０００４】
【発明が解決しようとする課題】
しかしながら、従来例のナースコール装置において、病室内の（病床の）患者からの緊急呼出時には、ナースセンター内に設置されたナースコール親機にて緊急がある旨の報知・表示が行われるが、このナースセンター内に在室中の看護師により応答操作が行われないと、緊急呼出元の患者との間で通話が成立しないため対応が遅れる可能性があり、迅速な看護業務の遂行が困難となる場合があった。
【０００５】
本発明は、上述の難点を解消するためになされたもので、ナースコール子機のスタッフコールボタンを設定時間以上または設定回数操作した緊急呼出元の患者からの受話音声をナースコール親機の親機スピーカにて出力させることにより、これを確認したナースセンター内に在室中の看護師が即時に対応して迅速な看護業務の遂行が図れるナースコール装置を提供することを目的としている。
【０００６】
【課題を解決するための手段】
上述の目的を達成するため、本発明のナースコール装置は、病室内の病床にそれぞれ設置されたナースコール子機の呼出ボタンを操作して通常の呼び出し、スタッフコールボタンを操作して緊急の呼び出しをナースコール親機へと報知・表示させ、ナースコール親機の通話部とナースコール子機の子機マイクおよび子機スピーカとの間で通話を行う装置である。ナースコール子機のスタッフコールボタンを設定時間以上操作することにより、子機マイクを介して入力された音声をナースコール親機の親機スピーカから出力する制御を行うための制御機を備えている。
【０００７】
このようなナースコール装置によれば、緊急呼出元の患者がナースコール子機のスタッフコールボタンを設定時間以上操作すると、この緊急呼出操作を検出した制御機の制御によりナースコール子機の子機マイクからナースコール親機の親機スピーカへの通話路が形成され、形成された通話路を介して音声信号を伝送させることにより、ナースセンター内に在室中の看護師は、応答操作を行うことなく緊急呼出元の患者からの受話音声を確認できる。
【０００８】
また、本発明のナースコール装置は、病室内の病床にそれぞれ設置されたナースコール子機の呼出ボタンを操作して通常の呼び出し、スタッフコールボタンを操作して緊急の呼び出しをナースコール親機へと報知・表示させ、ナースコール親機の通話部とナースコール子機の子機マイクおよび子機スピーカとの間で通話を行う装置である。ナースコール子機のスタッフコールボタンを設定回数操作することにより、子機マイクを介して入力された音声をナースコール親機の親機スピーカから出力する制御を行うための制御機を備えている。
【０００９】
このようなナースコール装置によれば、緊急呼出元の患者がナースコール子機のスタッフコールボタンが設定回数操作すると、この緊急呼出操作を検出した制御機の制御によりナースコール子機の子機マイクからナースコール親機の親機スピーカへの通話路が形成され、形成された通話路を介して音声信号を伝送させることにより、ナースセンター内に在室中の看護師は、応答操作を行うことなく緊急呼出元の患者からの受話音声を確認できる。
【００１０】
また、本発明のナースコール装置は、スタッフコールボタンを操作したとき、呼出音が出力される携帯端末を備えている。
【００１１】
このようなナースコール装置によれば、緊急呼出元の患者によりナースコール子機のスタッフコールボタンが設定時間以上または設定回数操作されると、病院内を巡回中の看護師により携行される携帯端末では呼出音が出力され、緊急の呼び出しがある旨の報知が行われる。
【００１２】
また、本発明のナースコール装置において、制御機は、ナースコール親機にて通話が開始されたとき、携帯端末からの呼出音の出力を停止させるための制御を行うものである。
【００１３】
このようなナースコール装置によれば、緊急の呼び出しがある旨を確認したナースセンター内に在室中の看護師がナースコール親機にて応答操作を行い通話を成立させると、この通話状態を検出した制御機の制御により携帯端末からの呼出音の出力は停止され、携帯端末では、次回の呼び出しに応答することができる。
【００１４】
また、本発明のナースコール装置において、制御機は、携帯端末にて通話が開始されたとき、ナースコール親機の親機スピーカからの音声の出力を停止させるための制御を行うものである。
【００１５】
このようなナースコール装置によれば、緊急の呼び出しがある旨を確認した病院内を巡回中の看護師が携帯端末にて応答操作を行い通話を成立させると、この通話状態を検出した制御機の制御によりナースコール親機の親機スピーカからの音声の出力は停止され、この親機スピーカから通話中の音声が出力されることを防止できるばかりでなく、ナースコール親機では、次回の呼び出しに応答することができる。
【００１６】
【発明の実施の形態】
以下、本発明のナースコール装置を適用した好ましい形態の実施例について、図面を参照して説明する。
【００１７】
図１は、本発明の実施例によるナースコール装置の構成を示すブロック図である。
【００１８】
図１のブロック図に示すナースコール装置は、Ａ号室内、Ｂ号室内、・・・のような病室内の病床にそれぞれ設置され、当該病床の患者がナースセンター内に在室中の看護師や後述する携帯端末４を携行しながら病院内を巡回中の看護師に対して通常の呼び出し（ナースコール呼び出し）、または緊急の呼び出しを行い、呼出先（通常呼出先、緊急呼出先）の看護師との間で通話を行うための（複数の）ナースコール子機１、１、・・・と、各病室の出入口近傍にそれぞれ設置され、通常呼出ラインＬ１ａ、緊急呼出ラインＬ１ｂ、第１の通話ラインＬ１ｃ、第２の通話ラインＬ１ｄの４線からなる子機ラインＬ１を介してナースコール子機１、１、・・・へと接続されており、病床の患者からの通常の呼び出し、または緊急の呼び出しを検出するとともに、呼出元（通常呼出元、緊急呼出元）の患者と呼出先（通常呼出先、緊急呼出先）の看護師との間で行われる通話の通話路を形成するための（複数の）廊下灯２、２、・・・と、ナースセンター内に設置され、病床の患者からの通常の呼び出し、または緊急の呼び出しが報知・表示され、これを確認して応答した看護師が呼出元（通常呼出元、緊急呼出元）の患者との間で通話を行うためのナースコール親機３と、病院内を巡回中の看護師により携行され、病床の患者からの通常の呼び出し、または緊急の呼び出しが報知され、これを確認して応答した看護師が呼出元（通常呼出元、緊急呼出元）の患者との間で通話を行うための例えば、ＰＨＳ（Ｐｅｒｓｏｎａｌ  Ｈａｎｄｙｐｈｏｎｅ  Ｓｙｓｔｅｍ）からなる携帯端末４と、病院内の共用部に設置され、制御ラインＬ２ａ、通話ラインＬ２ｂの２線からなる廊下灯ラインＬ２を介してバス接続された廊下灯２、２、・・・および制御ラインＬ３ａ、通話ラインＬ３ｂの２線からなる親機ラインＬ３を介して接続されたナースコール親機３をそれぞれ有線制御するとともに、携帯端末４を無線制御するための制御機５とから構成されている。
【００１９】
なお、病院内を巡回中の看護師により携行される携帯端末４は１台に限定されず、複数台、例えば、受持ち看護婦毎で複数台設けることもできる。
【００２０】
また、ナースコール子機１、１、・・・はそれぞれ同様な構成である。ナースコール子機１、１、・・・は、子機ラインＬ１をなす通常呼出ラインＬ１ａへと接続されており、当該ナースコール子機が病床に設置されている患者がナースセンター内に在室中の看護師、または携帯端末４を携行しながら病院内を巡回中の看護師に対して通常の呼び出し（ナースコール呼び出し）がある場合に操作する呼出ボタン１０と、子機ラインＬ１をなす緊急呼出ラインＬ１ｂへと接続されており、上述の患者が看護師に対して緊急の呼び出しがある場合に操作するスタッフコールボタン１１と、呼出元（通常呼出元、緊急呼出元）の患者が呼出先（通常呼出先、緊急呼出先）の看護師との間で通話を行うために使用し、子機ラインＬ１をなす第１の通話ラインＬ１ｃへと接続された音声（送話音声）を入力するための子機マイク１２および子機ラインＬ１をなす第２の通話ラインＬ１ｄへと接続された音声（受話音声）を出力するための子機スピーカ１３とを備えている。
【００２１】
また、廊下灯２、２、・・・はそれぞれ同様な構成である。廊下灯２、２、・・・は、当該廊下灯の構成各部をそれぞれ制御するためのＣＰＵ（以下、廊下灯ＣＰＵという。）２０と、子機ラインＬ１をなす通常呼出ラインＬ１ａを介して接続されたナースコール子機１、１、・・・の呼出ボタン１０が操作されたことを検出するための通常呼出検出回路２１と、子機ラインＬ１をなす緊急呼出ラインＬ１ｂを介して接続されたナースコール子機１、１、・・・のスタッフコールボタン１１が操作されたことを検出するための緊急呼出検出回路２２と、廊下灯ＣＰＵ２０および廊下灯ラインＬ２をなす制御ラインＬ２ａの間の信号伝送路を形成するためのデータ送受信回路（以下、廊下灯データ送受信回路という。）２３と、ナースコール子機１、１、・・・の子機マイク１２へと接続された子機ラインＬ１をなす第１の通話ラインＬ１ｃを伝送されてくる音声信号を４線／２線変換するとともに、子機スピーカ１３へと接続された子機ラインＬ１をなす第２の通話ラインＬ１ｄを伝送させる音声信号を２線／４線変換するための通話回路（以下、廊下灯通話回路という。）２４と、廊下灯通話回路２４および廊下灯ラインＬ２をなす通話ラインＬ２ｂの間の信号伝送路を形成するための通話制御回路（以下、廊下灯通話制御回路という。）２５とを備えている。
【００２２】
また、ナースコール親機３は、当該ナースコール親機の構成各部をそれぞれ制御するためのＣＰＵ（以下、親機ＣＰＵという。）３０と、親機ＣＰＵ３０および親機ラインＬ３をなす制御ラインＬ３ａの間の信号伝送路を形成するためのデータ送受信回路（以下、親機データ送受信回路という。）３１と、ナースコール子機１、１、・・・が病床に設置されている患者からの通常の呼び出しを報知するための呼出音信号を生成する呼出音発生回路（以下、親機呼出音発生回路という。）３２と、ナースコール子機１、１、・・・が病床に設置されている患者からの通常の呼び出し、または緊急の呼び出しを報知するために異なるパターンで呼出表示されるとともに、呼出元（通常呼出元、緊急呼出元）の患者と呼出先（通常呼出先、緊急呼出先）であるナースセンター内に在室中の看護師との間で通話が行われている旨を通話表示する病室毎に予め割り当てられた（複数の）表示灯３３ａ、３３ａ、・・・を有する表示回路３３と、親機呼出音発生回路３２にて生成された呼出音信号を信号処理して呼出音を出力するばかりでなく、緊急呼出元の患者からの受話音声を出力するための親機スピーカ３４と、親機スピーカ３４からの呼出音または受話音声の出力、および表示回路３３が有する（複数の）表示灯３２ａ、３２ａ、・・・のうち呼出表示が行われた当該表示灯をもとに呼出元（通常呼出元、緊急呼出元）の患者を確認したナースセンター内に在室中の看護師が応答して通話を行うために使用する通話部をなすハンドセット３５と、ハンドセット３５の取り上げの有無によりフックオフ／オンされるフックスイッチ３６と、緊急呼出元の患者からの受話音声を親機スピーカ３４から出力させる、または呼出元（通常呼出元、緊急呼出元）の患者からの受話音声をハンドセット３５のレシーバから出力させるために音声信号の信号伝送路を切り換えるための通話切換回路３７と、通話切換回路３７および親機ラインＬ３をなす通話ラインＬ３ｂの間の信号伝送路を形成するための通話制御回路（以下、親機通話制御回路という。）３８とを備えている。
【００２３】
また、携帯端末４は、ナースコール子機１、１、・・・が病床に設置されている患者からの通常の呼び出し、または緊急の呼び出しを報知するために異なるパターンの呼出音信号を生成するための呼出音発生回路（以下、端末呼出音発生回路という。）４０と、端末呼出音発生回路４０にて生成された呼出音信号を信号処理して呼出種別毎で異なるパターンの呼出音を出力するとともに、呼出先（通常呼出先、緊急呼出先）である当該携帯端末を携行しながら病院内を巡回中の看護師が応答して通話を行うために使用する通話部をなす端末スピーカ４２と、端末スピーカ４２とともに通話を行うために使用される通話部をなす端末マイク４１と、端末マイク４１から後述するデータ送受信回路４４への間の信号伝送路およびデータ送受信回路４４から端末スピーカ４２への信号伝送路をそれぞれ形成し、送受信される音声信号を４線／２線変換、または２線／４線変換するための通話回路（以下、端末通話回路という。）４３と、端末呼出音発生回路４０および制御機５の後述するデータ送受信回路５１の間の無線による信号伝送路、端末通話回路４３および制御機５の後述するデータ送受信回路５１の間の無線による信号伝送路をそれぞれ形成するためのデータ送受信回路（以下、端末データ送受信回路という。）４４とを備えている。
【００２４】
さらに、制御機５は、当該制御機の構成各部をそれぞれ制御するためのＣＰＵ（以下、制御機ＣＰＵという。）５０と、制御機ＣＰＵ５０、廊下灯ラインＬ２をなす制御ラインＬ２ａ、親機ラインＬ３をなす制御ラインＬ３ａ、携帯端末４の端末データ送受信回路４４の各部の間の信号伝送路をそれぞれ形成するためのデータ送受信回路（以下、制御機データ送受信回路という。）５１と、制御機ＣＰＵ５０、廊下灯ラインＬ２をなす通話ラインＬ２ｂ、親機ラインＬ３をなす通話ラインＬ３ｂの各部の間の信号伝送路をそれぞれ形成するための通話制御回路（以下、制御機通話制御回路という。）５２とを備えている。
【００２５】
このように構成された本発明の実施例によるナースコール装置において、以下、具体的な動作について説明する。
【００２６】
なお、本発明の実施例において、Ａ号室、Ｂ号室内、・・・のような病室内の病床の患者がナースセンター内に在室中の看護師や携帯端末４を携行しながら病院内を巡回中の看護師に対して通常の呼び出し（ナースコール呼び出し）があり、ナースコール子機１、１、・・・の呼出ボタン１０を操作して通話を行う場合の動作は、従来例の該当動作と同様であることにより、説明は省略する。
【００２７】
図１のブロック図において、Ａ号室、Ｂ号室内、・・・のような病室内の病床の患者のうち、ここでは、Ａ号室内の病床の患者がナースセンター内に在室中の看護師や携帯端末４を携行しながら病院内を巡回中の看護師に対して緊急の呼び出しがある場合には、ナースコール子機１のスタッフコールボタン１１を設定時間以上操作する、または設定回数操作する。これら何れかの緊急呼出操作が行われたスタッフコールボタン１１からは緊急呼出起動信号が生成される。この緊急呼出起動信号は、子機ラインＬ１をなす緊急呼出ラインＬ１ｂ、Ａ号室の出入口近傍に設置された廊下灯２の緊急呼出検出回路２２を介して廊下灯ＣＰＵ２０へと伝送される。
【００２８】
また、Ａ号室の出入口近傍に設置された廊下灯２の廊下灯ＣＰＵ２０は、同病室内の病床に設置されているナースコール子機１からの緊急呼出起動信号を検出すると、廊下灯通話回路２４および廊下灯通話制御回路２５を制御して緊急呼出元のナースコール子機１の子機マイク１２および子機スピーカ１３と子機ラインＬ１をなす第１、第２の各通話ラインＬ１ｃ、Ｌ１ｄ、廊下灯通話回路２４、廊下灯通話制御回路２５を介して廊下灯ラインＬ２をなす廊下灯通話ラインＬ２ｂとの間の信号伝送路を形成するととともに、自廊下灯に予め割り当てられている病室番号「Ａ」および緊急の呼び出しがある旨の呼出種別情報を含む緊急呼出信号を生成する。この緊急呼出信号は、廊下灯データ送受信回路２３から廊下灯ラインＬ２をなす制御ラインＬ２ａを介して制御機５の制御機データ送受信回路５１へと伝送されるとともに、Ａ号室を除く他の病室（Ｂ号室、・・・）の出入口近傍に設置された廊下灯２、・・・の廊下灯データ送受信回路２３を介して廊下灯ＣＰＵ２０へとそれぞれ伝送される。
【００２９】
なお、Ａ号室を除く他の病室（Ｂ号室、・・・）の出入口近傍に設置された廊下灯２、・・・の廊下灯ＣＰＵ２０は、伝送されてきた緊急呼出信号が制御機５からの出力信号でないことにより、当該緊急呼出信号を無効であると判断する。
【００３０】
また、制御機５の制御機データ送受信回路５１は、Ａ号室の出入口近傍に設置された廊下灯２の廊下灯ＣＰＵ２０からの緊急呼出信号を、制御機ＣＰＵ５０と親機ラインＬ３をなす制御ラインＬ３ａ、ナースコール親機３の親機データ送受信回路３１を介して親機ＣＰＵ３０へとそれぞれ有線伝送させるとともに、無線信号へと信号変換させた緊急呼出無線信号を携帯端末４の端末データ送受信回路４４へと無線伝送する。
【００３１】
また、制御機５の制御機ＣＰＵ５０は、Ａ号室の出入口近傍に設置された廊下灯２の廊下灯ＣＰＵ２０からの緊急呼出信号を検出すると、制御機通話制御回路５２を制御して廊下灯ラインＬ２をなす通話ラインＬ２ｂおよび親機ラインＬ３をなす通話ラインＬ３ｂの間の信号伝送路を形成する。
【００３２】
また、ナースコール親機３の親機ＣＰＵ３０は、Ａ号室の出入口近傍に設置された廊下灯２の廊下灯ＣＰＵ２０からの緊急呼出信号を検出すると、表示回路３３を制御して緊急呼出元の病室であるＡ号室に予め割り当てられている表示灯３３ａを通常呼出時とは異なるパターンで点滅させるとともに、通話切換回路３７および親機通話回路３８を制御して親機ラインＬ３をなす通話ラインＬ３ｂから親機通話回路３８、通話切換回路３７を介して親機スピーカ３４への信号伝送路を形成する。これにより、Ａ号室内の病床に設置されたナースコール子機１の子機マイク１２を介して入力された緊急呼出元の患者の送話音声であり、電気信号に変換された音声信号が子機ラインＬ１をなす第１の通話ラインＬ１ｃ、Ａ号室の出入口近傍に設置された廊下灯２の廊下灯通話回路２４、廊下灯通話制御回路２５、廊下灯ラインＬ２をなす通話ラインＬ２ｂ、制御機５の制御機通話制御回路５２、親機ラインＬ３をなす通話ラインＬ３ｂ、ナースコール親機３の親機通話回路３８、通話切換回路３７を介して親機スピーカ３４へと伝送され、緊急呼出元の患者からの受話音声を親機スピーカ３４を介して出力することにより、緊急呼出先であるナースセンター内に在室中の看護師に対してＡ号室内の病床の患者からの緊急の呼び出しがある旨の報知を音声で具体的に通知できるばかりでなく、表示灯３３ａを点滅させて表示でき、これらを確認したナースセンター内に在室中でありナースコール親機３から離れた場所に居る看護師が当該ナースコール親機にて応答操作を行うことなく即時に対応することで迅速な看護業務の遂行が図れる。
【００３３】
さらに、携帯端末４の端末データ送受信回路４４は、制御機５の制御機データ送受信回路５１からの緊急呼出無線信号を受信して電気信号の緊急呼出信号へと信号変換する。この緊急呼出信号を検出した端末呼出音発生回路４０は、緊急の呼び出しがある旨の呼出種別を示す呼出音信号を生成して通常の呼出時とは異なるパターンの呼出音を端末スピーカ４２を介して出力させることにより、緊急呼出先である携帯端末４を携行しながら病院内を巡回中の看護師に対してＡ号室内の病床の患者からの緊急の呼び出しがある旨の報知を行うことができ、これを確認した緊急呼出先の看護師が即時に対応することで迅速な看護業務の遂行が図れる。
【００３４】
次に、上述のようなナースコール親機３にて行われた報知・表示および携帯端末４にて行われた報知をもとに、Ａ号室内の病床の患者からの緊急の呼び出しがある旨を確認したナースセンター内に在室中の看護師および携帯端末４を携行しながら病院内を巡回中の看護師のうち、最先に応答した緊急呼出先の看護師、先ず、携帯端末４を携行しながら病院内を巡回中の看護師による応答操作が行われる前に、ナースセンター内に在室中の看護師がナースコール親機３の（通話部をなす）ハンドセット３５を取り上げるような応答操作を行うと、フックスイッチ３６からフックオンからフックオフへと切り換えられる。これを検出した親機ＣＰＵ３０は、通話切換回路３７を制御して通話制御回路３８への接続を親機スピーカ３４への接続から緊急呼出先の看護師が使用するハンドセット３５への接続に切り換えることにより、このハンドセット３５のマイクおよびレシーバと、通話切換回路３７、親機通話回路３８、親機ラインＬ３をなす通話ラインＬ３ｂ、制御機５の制御機通話制御回路５２、廊下灯ラインＬ２をなす通話ラインＬ２ｂ、Ａ号室の出入口近傍に設置された廊下灯２の廊下灯通話制御回路２５、廊下灯通話回路２４、子機ラインＬ１をなす第１、第２の各通話ラインＬ１ｃ、Ｌ１ｄを介して緊急呼出元であるＡ号室内の病床の患者が使用するナースコール子機１の子機マイク１２および子機スピーカ１３との間の信号伝送路、すなわち、通話路が形成され、形成された通話路を介して音声信号を送受信させることにより通話を行なうことができる。
【００３５】
また、ナースコール親機３の親機ＣＰＵ３０は、上述の応答操作を検出すると、通話切換回路３７を制御して通話を成立させるばかりでなく、表示回路３３を制御して点滅されている表示灯３３ａを点灯させて通話状態である旨を表示し、携帯端末４の端末スピーカ４２から出力されている呼出音を停止させるための端末制御信号を生成する。この端末制御信号は、親機データ送受信回路３１、親機ラインＬ３をなす制御ラインＬ３ａを介して制御機５の制御機データ送受信回路５１へと伝送される。
【００３６】
また、制御機５の制御機データ送受信回路５１は、ナースコール親機３の親機ＣＰＵ３０からの端末制御信号を無線信号をなす端末制御無線信号へと信号変換する。この端末制御無線信号は、携帯端末４の端末データ送受信回路４４へと無線伝送される。
【００３７】
さらに、携帯端末４の端末データ送受信回路４４は、制御機５の制御機データ送受信回路５１からの端末制御無線信号を受信して電気信号の端末制御信号へと信号変換する。この端末制御信号を検出した端末呼出音発生回路４０は、通常の呼出時とは異なるパターンで出力されている携帯端末スピーカ４２からの呼出音の出力を停止させることができ、携帯端末４では、次回の呼び出しに応答することができる。
【００３８】
一方、上述のようなナースコール親機３にて行われた報知・表示および携帯端末４にて行われた報知をもとに、Ａ号室内の病床の患者からの緊急の呼び出しがある旨を確認したナースセンター内に在室中の看護師および携帯端末４を携行しながら病院内を巡回中の看護師のうち、最先に応答した緊急呼出先の看護師、ここでは、ナースセンター内に在室中の看護師がナースコール親機３のハンドセット３５を取り上げるような応答操作を行う前に、携帯端末４を携行しながら病院内を巡回中の看護師が所定の応答操作（詳述せず）を行うと、端末呼出音発生回路４０が制御され、端末スピーカ４２からの呼出音の出力が停止するとともに、端末通話回路４３が制御され、緊急呼出先の看護師が使用する端末マイク４１および端末スピーカ４２と、端末通話回路４３、端末データ送受信回路４４、制御機５の制御機データ送受信回路５１、制御機ＣＰＵ５０、制御機通話制御回路５２、廊下灯ラインＬ２をなす通話ラインＬ２ｂ、Ａ号室の出入口近傍に設置された廊下灯２の廊下灯通話制御回路２５、廊下灯通話回路２４、子機ラインＬ１をなす第１、第２の各通話ラインＬ１ｃ、Ｌ１ｄを介して呼出元の患者であるＡ号室内の病床の患者が使用するナースコール子機１の子機マイク１２および子機スピーカ１３との間の信号伝送路、すなわち、通話路が形成され、形成された通話路を介して音声信号を送受信させることにより通話を行なうことができる。
【００３９】
また、携帯端末４は、上述の応答操作を検出すると、端末通話回路４３を制御するばかりでなく、ナースコール親機１の親機スピーカ３４から出力されている受話音声の出力を停止させるための親機制御信号を生成する。この親機制御信号は、端末データ送受信回路４４を介して無線信号をなす親機制御無線信号へと信号変換された後、制御機５の制御機データ送受信回路５１へと無線伝送される。
【００４０】
また、制御機５の制御機データ送受信回路５１は、携帯端末４の端末データ送受信回路４４からの親機制御無線信号を受信して電気信号の親機制御信号へと信号変換する。この親機制御信号は、親機ラインＬ３をなす制御ラインＬ３ａ、ナースコール親機３の親機データ送受信回路３１を介して親機ＣＰＵ３０へと伝送される。
【００４１】
さらに、ナースコール親機３の親機ＣＰＵ３０は、携帯端末４からの親機制御信号を検出すると、親機通話回路３８を制御して当該親機通話回路から通話切換回路３７への信号伝送路を遮断することにより、親機スピーカ３５からの受話音声の出力、すなわち、緊急呼出元の患者からの受話音声の出力を停止させることができ、この親機スピーカ３５から通話中の音声が出力されることを防止できるばかりでなく、ナースコール親機３では、次回の呼び出しに応答することができる。
【００４２】
【発明の効果】
以上の説明から明らかなように、本発明のナースコール装置によれば、緊急呼出元の患者がナースコール子機のスタッフコールボタンを設定時間以上、または設定回数操作すると、これらの緊急呼出操作を検出した制御機の制御によりナースコール子機の子機マイクからナースコール親機の親機スピーカへの通話路が形成され、形成された通話路を介して音声信号を伝送させることにより、ナースセンター内に在室中の看護師は、緊急呼出元の患者からの受話音声を確認でき、即時に対応することで迅速な看護業務の遂行が図れる。
【００４３】
また、緊急呼出元の病床の患者がナースコール子機のスタッフコールボタンを設定時間以上、または設定回数操作した場合に行われるナースコール親機の親機スピーカからの受話音声の出力および携帯端末からの呼出音の出力のうち、受話音声の出力は、携帯端末を携行しながら病院内を巡回中の看護師が応答して緊急呼出元の病床の患者との間で通話を成立させた場合に停止させることができ、一方、呼出音の出力は、ナースセンター内に在室中の看護師が応答して緊急呼出元の病床の患者との間で通話を成立させた場合に停止させることができる。
【図面の簡単な説明】
【図１】本発明の実施例によるナースコール装置の構成を示すブロック図である。
【符号の説明】
１、１、・・・  ・・・・・ナースコール子機
１０・・・・・呼出ボタン
１１・・・・・スタッフコールボタン
１２・・・・・子機マイク
１３・・・・・子機スピーカ
３・・・・・ナースコール親機
３４・・・・・親機スピーカ
３５・・・・・通話部（ハンドセット）
４・・・・・携帯端末
５・・・・・制御機
【図１】
2004282597.tif 000003